(57)【要約】【課題】番組中の予告に基づいて予約情報を生成する予約装置において、無制限な予約を防止することができる予約装置を提供する。【解決手段】番組中の予告に基づいて予約情報を生成するものであるが、この予約情報を生成する際に、世代情報を付与することにより、ユーザが予め設定した世代まで予約されると、予約を停止する。ユーザの嗜好にあった番組を自動的に予約することができるとともに、番組中の予告に基づいて予約情報を生成する予約装置において、無制限な予約を防止することができる。【選択図】図２
2009225222.tif 000002
【特許請求の範囲】
【請求項１】
映像及び音声の少なくとも一方を含む番組中に出現する別番組の予告に基づき、前記別番組を予約録画または予約録音をするための予約情報を生成する予約装置であって、前記予約情報に、予約の世代を示す世代情報を関連付けることを特徴とする予約装置。
【請求項２】
前記予約情報は、前記予約情報に基づいた録画または録音の都度、生成されることを特徴とする請求項１記載の予約装置。
【請求項３】
前記世代が予め設定された世代に達した場合には前記予約情報の生成をしないことを特徴とする請求項１または２記載の予約装置。
【請求項４】
番組を録画または録音をする録画/録音手段と、
映像及び音声の少なくとも一方を含む番組中に出現する別番組の予告を検出する検出手段と、
前記検出手段が検出した予告に基づき、前記別番組を予約録画または予約録音をするための予約情報を生成する予約情報生成手段と、
前記予約情報生成手段が生成した予約情報に、予約の世代を示す世代情報を関連付ける世代管理手段とを有することを特徴とする予約装置。
【請求項５】
前記予約情報は、前記予約情報に基づいた録画または録音の都度、生成されることを特徴とする請求項４記載の予約装置。
【請求項６】
前記世代が予め設定された世代に達した場合には、前記予約情報の生成をしないことを特徴とする請求項４または５記載の予約装置。
【請求項７】
予約装置に、
番組を録画または録音をさせる録画/録音手段ステップと、
映像及び音声の少なくとも一方を含む番組中に出現する別番組の予告を検出させる検出ステップと、
前記検出ステップにて検出された予告に基づき、前記別番組を予約録画または予約録音をするための予約情報を生成させる予約情報生成ステップと、
前記予約情報生成ステップにて生成された予約情報に、予約の世代を示す世代情報を関連付けさせる世代管理ステップとを実行させることを特徴とするプログラム。
【請求項８】
前記予約情報を、前記予約情報に基づいた録画または録音の都度、生成させることを特徴とする請求項７記載のプログラム。
【請求項９】
前記世代が予め設定された世代に達した場合には、前記予約情報の生成をさせないステップを含むことを特徴とする請求項７または８記載のプログラム。
【発明の詳細な説明】
【技術分野】
【０００１】
本発明は、映像及び音声の少なくとも一方を含む番組を予約録画または予約録音する予約装置に関する。
【背景技術】
【０００２】
映像及び音声の少なくとも一方を含む番組を予約録画または予約録音する予約装置の一例として、例えば特許文献１に記載の予約装置が開示されている。
【０００３】
特許文献１に開示されている予約装置は、番組の一部である次回予告を、画像認識や音声認識するなどして、予約情報を生成している。
【０００４】
【特許文献１】特開２００７−２７４４９３号公報
【発明の開示】
【発明が解決しようとする課題】
【０００５】
ところで、近年では、おまかせ録画機能等と称される自動録画予約機能が搭載された予約装置がある。このような予約装置は、ユーザの嗜好や過去の視聴履歴から、ユーザの好みにあいそうな番組を割り出し、自動的に番組を録画するものである。
【０００６】
ここで、上記の特許文献１に開示されている予約装置を使って、所謂おまかせ録画をさせようとすると、番組に予告が含まれている場合に、際限なく予約をしてしまうという不具合が生じる。
【０００７】
そこで、本発明は、番組中の予告に基づいて予約情報を生成する予約装置において、無制限な予約を防止することができる予約装置を提供することを目的とする。
【課題を解決するための手段】
【０００８】
本発明の第１の予約装置は、映像及び音声の少なくとも一方を含む番組中に出現する別番組の予告に基づき、前記別番組を予約録画または予約録音をするための予約情報を生成する予約装置であって、前記予約情報に、予約の世代を示す世代情報を関連付けることを特徴とする。
【０００９】
本発明の第２の予約装置は、番組を録画または録音をする録画/録音手段と、映像及び音声の少なくとも一方を含む番組中に出現する別番組の予告を検出する検出手段と、前記検出手段が検出した予告に基づき、前記別番組を予約録画または予約録音をするための予約情報を生成する予約情報生成手段と、前記予約情報生成手段が生成した予約情報に、予約の世代を示す世代情報を関連付ける世代管理手段とを有することを特徴とする。
【００１０】
本発明のプログラムは、予約装置に、番組を録画または録音をさせる録画/録音手段ステップと、映像及び音声の少なくとも一方を含む番組中に出現する別番組の予告を検出させる検出ステップと、前記検出ステップにて検出された予告に基づき、前記別番組を予約録画または予約録音をするための予約情報を生成させる予約情報生成ステップと、前記予約情報生成ステップにて生成された予約情報に、予約の世代を示す世代情報を関連付けさせる世代管理ステップとを実行させることを特徴とする。
【発明の効果】
【００１１】
本発明によれば、番組中の予告に基づいて予約情報を生成する予約装置において、無制限な予約を防止することができる予約装置を提供することができる。
【発明を実施するための最良の形態】
【００１２】
以下、図面を参照して本発明を実施するための最良の形態について説明する。まず、本実施の形態の概略を簡単に説明すると、本発明の予約装置は、番組中の予告に基づいて予約情報を生成するものであるが、この予約情報を生成する際に、世代情報を付与することにより、ユーザが予め設定した世代まで予約されると、予約を停止する。以下、詳細に説明する。
【００１３】
図１は、本実施の形態の予約装置の主要部のブロック図である。なお、図示はしていないが、主要部以外には、番組を受信するためのアンテナ及びチューナや、デジタル放送であればデコーダを有している。
【００１４】
図１を参照すると、予約装置は、制御部１０及び記憶部２０を有し、制御部１０は、番組の視聴や録画の制御を行う視聴・録画手段１１、予告検出手段１２、予約情報生成手段１３、及び、世代管理手段１４を論理的に有する。
【００１５】
次に、本実施の形態の動作について説明する。図２は、予約装置の動作を説明するためのフローチャートである。
【００１６】
まず、ユーザは、事前操作として、何世代まで予約するかを装置に予め指定しておく。なお、何世代まで予約するかは、世代管理手段１４の管理の元、記憶部２０に格納される。
【００１７】
視聴・録画手段１１により録画が開始されると（ステップＳ１）、世代管理手段１４は、現在録画している番組が、何世代目か判定する（ステップＳ２）。当初の録画時は１世代目であるので、予約装置の処理はステップＳ３に進む。
【００１８】
なお、ステップＳ２の判断において、ユーザが予め定めた世代に達していると、世代管理手段１４が判断すると、本処理は終了する。
【００１９】
次に、予告検出手段１２は、録画中の番組から予告情報（テロップや音声）を検出する（ステップＳ３）。
【００２０】
次に、予約情報生成手段１３は、予約情報（チャンネルや日時）を作成し、世代管理手段１４は、予約情報生成手段１３が生成した予約情報に世代を示す識別子を付与し、予約情報と関連付けて、記憶部２０に格納する（ステップＳ４）。なお、予約情報生成手段１３が付与する識別子（世代情報）は、現在録画中の世代に例えば１を加えればよい。
【００２１】
次いで、記憶部２０に格納された予約情報に基づいて、視聴・録画手段１１は録画を行う。つまり、ステップＳ１に処理が戻る。
【００２２】
ここで、上述のとおり、録画番組の世代を重ねていくと、同じ世代の番組が複数録画されることは言うまでもない。なお、予約が時間的に重なる場合には世代の新しい予約を優先させれば、より第１世代に近い、すなわち、ユーザの嗜好にあった番組を録画することができる。
【００２３】
以上説明したとおり、本実施の形態によれば、ユーザの嗜好にあった番組を自動的に予約することができるとともに、番組中の予告に基づいて予約情報を生成する予約装置において、無制限な予約を防止することができる。
【００２４】
なお、以上の実施の形態は、テレビ番組（画像のみ、または画像と音声）にもラジオ番組（音声のみ）にも適用できる。
【図面の簡単な説明】
【００２５】
【図１】予約装置の主要部のブロック図である。
【図２】予約装置の動作を説明するためのフローチャートである。
【符号の説明】
【００２６】
１０  制御部
１１  視聴・録画手段
１２  予告検出手段
１３  予約情報生成手段
１４  世代管理手段
２０  記憶部
【図１】
2009225222.tif 000003
【図２】
2009225222.tif 000004